(57)【要約】【課題】装置構成部品の簡素化、操作性向上が図れる。【解決手段】記録材料Ｐを供給するための記録材料装填用マガジン１０と、この記録材料装填用マガジン１０から記録材料Ｐを供給する記録材料供給手段Ａと、供給される記録材料Ｐを外周面上に巻付けて回転するドラム３１と、このドラム３１を回転する回転手段と、ドラム３１に巻付けられた記録材料Ｐに書き込む書込手段３００と、この書込手段３００をドラム軸方向に移動する移動手段７００とを有する画像記録装置において、供給する記録材料Ｐの終端部Ｐｂを検出する記録材料終端部検出手段Ｂと、この記録材料Ｐの終端部Ｐｂの検出に基づき記録材料供給手段Ａを制御して供給する記録材料Ｐを記録材料装填用マガジン１０の内部に巻き戻す制御手段Ｃとを有する。【選択図】図１
2004161467.tif 000002
【特許請求の範囲】
【請求項１】
記録材料を供給するための記録材料装填用マガジンと、この記録材料装填用マガジンから記録材料を供給する記録材料供給手段と、前記供給される記録材料を外周面上に巻付けて回転するドラムと、このドラムを回転する回転手段と、前記ドラムに巻付けられた記録材料に書き込む書込手段と、この書込手段をドラム軸方向に移動する移動手段とを有する画像記録装置において、
前記供給する記録材料の終端部を検出する記録材料終端部検出手段と、この記録材料の終端部の検出に基づき前記記録材料供給手段を制御して前記供給する記録材料を前記記録材料装填用マガジンの内部に巻き戻す制御手段とを有することを特徴とする画像記録装置。
【請求項２】
前記記録材料装填用マガジンは、記録材料供給口を介して内部から外部に前記記録材料を供給する記録材料供給部を有し、
前記記録材料供給口を遮光する遮光材と、前記巻き戻す記録材料を前記記録材料供給口に導く滑面部材とを備えることを特徴とする請求項１に記載の画像記録装置。
【請求項３】
前記記録材料装填用マガジンは、マガジン本体とマガジン蓋体とを開閉可能にして構成され、前記マガジン本体とマガジン蓋体との合わせ部に前記記録材料供給部を設け、
この記録材料供給部は、前記マガジン本体及び／またはマガジン蓋体の一部を内側に屈曲して斜面部を形成し、この斜面部に連続して内側に延びる平面部を形成して前記記録材料供給口とし、
前記平面部に前記遮光材を設け、前記斜面部に前記滑面部材を設けたことを特徴とする請求項１または請求項２に記載の画像記録装置。
【請求項４】
前記記録材料装填用マガジンは、マガジン本体とマガジン蓋体とを開閉可能にして構成され、前記マガジン本体とマガジン蓋体との合わせ部に前記記録材料供給部を設け、
この記録材料供給部は、前記マガジン本体及び／またはマガジン蓋体の一部を内側に屈曲して斜面ガイド部を形成し、この斜面ガイド部に連続して内側に延びる平面シャッター部を形成して前記記録材料供給口とし、
前記斜面ガイド部から前記平面シャッター部に前記遮光材を設け、前記斜面ガイド部に相当する部分から前記平面シャッター部に相当する部分の一部に前記遮光材に重ねて前記滑面部材を設けたことを特徴とする請求項１または請求項２に記載の画像記録装置。
【請求項５】
前記滑面部材を重ねた前記斜面ガイド部に相当する部分から前記平面シャッター部に相当する部分の一部のオーバーラップ量は、０．５ｍｍ以上であることを特徴とする請求項４に記載の画像記録装置。
【発明の詳細な説明】
【０００１】
【発明の属する技術分野】
この発明は、記録材料装填用マガジンから記録材料を供給し、この記録材料をドラムの外周面上に保持して書き込む画像記録装置に関するものである。
【０００２】
【従来の技術】
近年、色分解網原稿フィルムを、切り貼りなどしたフィルムからではなく、ＤＴＰと呼ばれる装置で、色分解された文字網原稿画像データや写真網原稿画像データやベタ画像網原稿画像データなどの画像データから、画像データ上で切り貼りなどして、色分解網原稿画像データを作成し、イメージセッタと呼ばれる装置で、この色分解網原稿画像データから色分解網原稿フィルムを作成したり、ＣＴＰと呼ばれる装置で、直接、印刷版を作成することが行われている。
【０００３】
このようなＤＴＰを用いたシステムで行う校正作業としては、色分解網原稿画像データから色分解網原稿フィルムを作成し、色分解網原稿フィルムからカラープルーフを作成する方法だけでなく、色分解網原稿画像データから直接、カラープルーフを作成するＤＣＰが、最近行われている。
【０００４】
このＤＣＰには、色分解網原稿画像データに基づいて、ハロゲン化銀カラー写真感光材料をＬＥＤやレーザ光などによって露光することで、カラープルーフを作成するものなどがある。また、同様の書き込み系を用いたインクジェットプリンターなどによって、カラープルーフを作成することもある。
【０００５】
このような記録材料に画像を書き込む画像記録装置には、記録材料を供給するための記録材料装填用マガジンと、この記録材料装填用マガジンから記録材料を供給する記録材料供給手段と、前記供給される記録材料を外周面上に巻付けて回転するドラムと、このドラムを回転する回転手段と、ドラムに巻付けられた記録材料に書き込む書込手段と、この書込手段をドラム軸方向に移動する移動手段とを有し、ドラムを回転させるとともに、書込手段をドラム軸方向に移動して記録材料に画像を書き込むものがある（例えば、特許文献１）。
【０００６】
【特許文献１】
特開２００１−２１５６２４号公報（第１〜第５頁、図２）
【０００７】
【発明が解決しようとする課題】
従来、記録材料装填用マガジンは、断ボール・厚紙等の外箱にロール状記録材料を収納したマガジンを使用し、内部の記録材料の書込み長さがなくなった場合、最後の残りの記録材料は記録材料装填用マガジンの内部へ戻されることなく、供給して搬出されていた。
【０００８】
このように短い長さの残りの記録材料を搬送するため、装置内部の搬送ローラーを等間隔で複数設ける必要があり、部品点数が増加、構成の複雑化を余儀なくされていた。また、装置が駆動しているために、短い長さの残りの記録材料の除去作業と記録材料の交換作業を平行して行うことができなかった。
【０００９】
この発明は、以上の問題点に鑑みてなされたもので、装置構成部品の簡素化、操作性向上が図れる画像記録装置を提供することを目的としている。
【００１０】
【課題を解決するための手段】
前記課題を解決し、かつ目的を達成するために、この発明は、以下のように構成した。
【００１１】
請求項１に記載の発明は、記録材料を供給するための記録材料装填用マガジンと、この記録材料装填用マガジンから記録材料を供給する記録材料供給手段と、前記供給される記録材料を外周面上に巻付けて回転するドラムと、このドラムを回転する回転手段と、前記ドラムに巻付けられた記録材料に書き込む書込手段と、この書込手段をドラム軸方向に移動する移動手段とを有する画像記録装置において、
前記供給する記録材料の終端部を検出する記録材料終端部検出手段と、この記録材料の終端部の検出に基づき前記記録材料供給手段を制御して前記供給する記録材料を前記記録材料装填用マガジンの内部に巻き戻す制御手段とを有することを特徴とする画像記録装置である。
【００１２】
この請求項１に記載の発明によれば、記録材料の終端部を検出すると、記録材料を記録材料装填用マガジンの内部に巻き戻すことで、短い長さの残りの記録材料を搬送するための搬送ローラー等を最小限に配置することにより、装置構成の簡素化、コストの削減が図れる。また、短い長さの残りの記録材料の除去作業を記録材料の交換作業と同時に行えることにより、操作性の向上が図れる。
【００１３】
請求項２に記載の発明は、前記記録材料装填用マガジンは、記録材料供給口を介して内部から外部に前記記録材料を供給する記録材料供給部を有し、
前記記録材料供給口を遮光する遮光材と、前記巻き戻す記録材料を前記記録材料供給口に導く滑面部材とを備えることを特徴とする請求項１に記載の画像記録装置である。
【００１４】
この請求項２に記載の発明によれば、記録材料装填用マガジンの記録材料供給口を遮光する遮光材と、巻き戻す記録材料を記録材料供給口に導く滑面部材とを有することで、巻き戻す記録材料の終端部が滑面部材に案内されて記録材料供給口に戻るため、戻る際の引っかかりを防ぐことができる。
【００１５】
請求項３に記載の発明は、前記記録材料装填用マガジンは、マガジン本体とマガジン蓋体とを開閉可能にして構成され、前記マガジン本体とマガジン蓋体との合わせ部に前記記録材料供給部を設け、
この記録材料供給部は、前記マガジン本体及び／またはマガジン蓋体の一部を内側に屈曲して斜面部を形成し、この斜面部に連続して内側に延びる平面部を形成して前記記録材料供給口とし、
前記平面部に前記遮光材を設け、前記斜面部に前記滑面部材を設けたことを特徴とする請求項１または請求項２に記載の画像記録装置である。
【００１６】
この請求項３に記載の発明によれば、平面部に遮光材を設け、斜面部に滑面部材を設けたことで、巻き戻す記録材料の終端部が滑面部材に案内されて記録材料供給口に戻るため、戻る際の引っかかりを防ぐことができる。
【００１７】
請求項４に記載の発明は、前記記録材料装填用マガジンは、マガジン本体とマガジン蓋体とを開閉可能にして構成され、前記マガジン本体とマガジン蓋体との合わせ部に前記記録材料供給部を設け、
この記録材料供給部は、前記マガジン本体及び／またはマガジン蓋体の一部を内側に屈曲して斜面ガイド部を形成し、この斜面ガイド部に連続して内側に延びる平面シャッター部を形成して前記記録材料供給口とし、
前記斜面ガイド部から前記平面シャッター部に前記遮光材を設け、前記斜面ガイド部に相当する部分から前記平面シャッター部に相当する部分の一部に前記遮光材に重ねて前記滑面部材を設けたことを特徴とする請求項１または請求項２に記載の画像記録装置である。
【００１８】
この請求項４に記載の発明によれば、斜面ガイド部に相当する部分から平面シャッター部に相当する部分の一部に遮光材に重ねて滑面部材を設けることで、巻き戻す記録材料の終端部が滑面部材に案内されて記録材料供給口に戻るため、遮光を損なうことなく戻る際の引っかかりを防ぐことができる。
【００１９】
請求項５に記載の発明は、前記滑面部材を重ねた前記斜面ガイド部に相当する部分から前記平面シャッター部に相当する部分の一部のオーバーラップ量は、０．５ｍｍ以上であることを特徴とする請求項４に記載の画像記録装置である。
【００２０】
この請求項５に記載の発明によれば、滑面部材を重ねた斜面ガイド部に相当する部分から平面シャッター部に相当する部分の一部のオーバーラップ量は、０．５ｍｍ以上であり、記録材料が戻る際の終端部の引っかかりを防ぐことができる。
【００２１】
【発明の実施の形態】
以下、この発明の画像記録装置の実施の形態について説明する。なお、この発明は、実施の形態に限定されるものではない。この発明の画像記録装置を適用したカラープルーフ作成装置は、図１乃至図５に示すように構成される。図１はカラープルーフ作成装置の概略構成図、図２は露光装置の概略構成を示す正面図、図３は露光装置の概略構成を示す平面図、図４は記録材料装填用マガジンの断面図、図５は記録材料装填用マガジンの記録材料供給部の拡大断面図である。
【００２２】
カラープルーフ作成装置１の装置本体２には、露光ユニット３及び現像処理ユニット４が備えられている。露光ユニット３の上部には、現像部側にセット部７が配置される。セット部７には、記録材料遮光用カバー９が開閉可能に設けられ、記録材料遮光用カバー９によりロール状の感光材料またはペーパー等の記録材料を収納した一対の記録材料装填用マガジン１０がセット可能である。
【００２３】
現像処理ユニット４の側部には排紙部１５が設けられ、処理された感光材料が排紙部１５に排出される。
【００２４】
露光ユニット３には、給紙部２０、主走査部３０、副走査部４０及びアキュームレータ部６０が備えられている。給紙部２０には、搬送ローラ対２１、カッター部２２及び回転ローラ２３が記録材料装填用マガジン１０に対応して配置されている。記録材料装填用マガジン１０に対応して配置された搬送ローラ対２１により記録材料を引き出して、カッター部２２で所定の長さに切断し、回転ローラ２３を介して主走査部３０へ送るようになっており、この搬送ローラ対２１、カッター部２２及び回転ローラ２３が記録材料装填用マガジン１０から記録材料を供給する記録材料供給手段Ａを構成する。
【００２５】
主走査部３０及び副走査部４０が記録材料に画像を記録する露光部５００を構成し、主走査部３０には、円筒を構成するドラム３１が回転可能に設けられ、記録材料がドラム３１の外表面に吸着されて一体に回転する。ドラム３１に対向して光学ユニット３２が配置され、光学ユニット３２は副走査部４０によりドラム軸と平行に移動可能になっている。光学ユニット３２は、デジタル画像信号を受けてドラム３１に吸着された記録材料にレーザービームで露光して画像の書き込みを行い、書込手段３００を構成している。
【００２６】
アキュームレータ部６０は、露光部５００から露光された記録材料を現像処理する現像処理ユニット４に備えられるプロセッサ部６００へ受け渡すために、記録材料を一時停留させる。このアキュームレータ部６０は、書き込みが終了した記録材料をドラム３１から剥離してプロセッサ部６００へ送り込む。このとき、プロセッサ部６００の搬送速度の方が露光部５００の排紙速度より遅い場合は、排紙速度が高速のままアキュームレータ部６０に送り込み、記録材料をアキュームレータ部６０に垂れ下がるようにしてアキュームさせ、プロセッサ部６００との搬送タイミングを合わせ、露光部５００の処理能力を落とさないようにしている。
【００２７】
現像処理ユニット４のプロセッサ部６００には、第２露光部４１（以下、反転露光ダイレクトポジ感材の例で記載する）、現像部４２、定着部４３、安定部４４及び乾燥部４５が備えられている。第２露光部４１により露光部５００で露光されなかった部分の記録材料が疑似画像を形成し、第２露光された記録材料は、現像部４２、定着部４３及び安定部４４へ搬送して現像処理され、この処理された記録材料は乾燥部４５で乾燥して排紙部１５へ送出される。
【００２８】
次に、露光装置の構成を、図１乃至図３に基づいて詳細に説明する。
【００２９】
セット部７には、記録材料装填用マガジン１０が記録材料の先端を所定長さ引き出した状態で、給紙部２０の搬送ローラ対２１のローラ２１ａ，２１ｂの間の位置にセットする。いずれかの記録材料装填用マガジン１０から記録材料が供給される搬送中は、ローラ２１ｂを搬送位置に移動させて記録材料を対向するローラ２１ａ，２１ｂとの間で圧着する。それぞれのカッター部２２とエンコーダローラ２５との間には、基準センサＳ１、回転ローラ２３及びガイド２６がそれぞれ設けられている。
【００３０】
エンコーダローラ２５は、基準センサＳ１が記録材料の先端部を検出し、この先端部の検出から記録材料の搬送により回転して記録材料の送り量を検出し、所定の長さでカッター部２２を作動して記録材料を切断する。カッター部２２の後段には、シャッター２７が配置され、記録材料の搬送路の遮光とゴミ等の進入を防止する。ローラ２１ａ，２１ｂの前段には、記録材料の終端部を検出する後端検出センサＳ２が配置されている。
【００３１】
主走査部３０のドラム３１の両端の軸部３１ａ，３１ｂは、軸受３３ａ，３３ｂを介して支持台３４ａ，３４ｂに回転可能に軸支されている。ドラム３１の一方の軸部３１ａには、駆動プーリ３５ａが設けられ、この駆動プーリ３５ａはドラム回転モータＭ６の出力プーリ３５ｂとベルト３６により連結され、回転手段９００を構成するドラム回転モータＭ６の駆動によりドラム３１が回転する。また、ドラム３１の一方の軸部３１ｂには、ロータリーエンコーダ３７が設けられ、回転パルスを出力してドラム回転に同期した画素クロック制御に用いる。
【００３２】
ドラム３１の一方の軸部３１ａは、空気吸引手段２００を構成する吸引ブロアに連結されている。ドラム３１は中空体で形成され、表面には貫通孔３ｌｃが形成され、空気吸引手段２００の駆動によりドラム３１の内部が減圧されて記録材料がドラム３１の表面に吸着される。
【００３３】
光学ユニット３２には、ＬＤまたはＬＥＤ等の光源が、各波長相当に対応して複数あり、例えばドラム３１上の記録材料に画像を露光する書込手段３００が構成される。
【００３４】
光学ユニット３２は、移動手段７００によりドラム軸方向に移動可能になっている。移動手段７００は、光学ユニット３２の移動をガイドするガイド部材３４１，３４２と、光学ユニット３２を移動する回転可能なボールネジ３４０とを有し、このボールネジ３４０は駆動モータＭ７により回転される。駆動モータＭ７はモータ軸３４３を有し、モータ軸出力側にカップリング３４４を介してボールネジ３４０の一端部が設けられ、駆動モータＭ７のモータ軸非出力側に重り３４５が設けられている。
【００３５】
この重り３４５は、円筒状に形成されているが、これに限定されず、三角筒状、四角筒状などであってもよく、駆動モータＭ７のロータ慣性モーメントを擬似的に増加させており、振動に影響がある共振周波数ｆを変化することができ、簡単な構造で、ボールネジ３４０の振動を抑えることが可能である。
【００３６】
駆動モータＭ７の駆動により、カップリング３４４を介してボールネジ３４０が正回転、または逆回転して光学ユニット３２がドラム軸と平行に移動する。
【００３７】
この露光部５００からプロセッサ部６００へ受け渡すために、記録材料を一時停留させるアキュームレータ部６０は、ドラム３１に吸引された記録材料を剥離する剥離ガイド６１、搬送ガイド６２、アキュームレータ部６０におけるプロセッサ部６００のシート入口側に配された排出ローラ６４とを有し、ドラム３１に巻かれた記録材料を剥離してプロセッサ部６００へ送る。
【００３８】
この実施の形態では、供給する記録材料Ｐの終端部Ｐｂを検出する記録材料終端部検出手段Ｂと、この記録材料終端部検出手段Ｂの検出に基づき記録材料供給手段Ａを制御して供給する記録材料Ｐを記録材料装填用マガジン１０の内部に巻き戻す制御手段Ｃとを有する。
【００３９】
記録材料終端部検出手段Ｂは、後端検出センサＳ２が記録材料装填用マガジン１０から供給する記録材料Ｐの先端部Ｐａを検出し、その後予め設定された所定時間後に後端部Ｐｂを検出すると、供給する記録材料Ｐの終端部Ｐｂであると判断する。制御手段Ｃは、記録材料終端部検出手段Ｂの検出に基づき記録材料供給手段Ａのローラ２１ａ，２１ｂを供給方向から戻し方向へ逆回転し、記録材料Ｐを後端部Ｐｂから記録材料装填用マガジン１０の内部に巻き戻す。
【００４０】
このように、記録材料Ｐの終端部Ｐｂを検出すると、記録材料Ｐを記録材料装填用マガジン１０の内部に巻き戻すことで、短い長さの残りの記録材料Ｐを搬送するための搬送ローラー等を最小限に配置することにより、装置構成の簡素化、コストの削減が図れる。また、短い長さの残りの記録材料Ｐの除去作業を記録材料Ｐの交換作業と同時に行えることにより、操作性の向上が図れる。
【００４１】
この実施の形態の記録材料装填用マガジン１０は、図４及び図５に示すように構成される。記録材料装填用マガジン１０は、マガジン本体１１とマガジン蓋体１２とを支持軸１３を支点に開閉可能にして構成され、マガジン本体１１とマガジン蓋体１２との合わせ部に記録材料供給部１４を設けている。
【００４２】
この記録材料供給部１４は、マガジン本体１１の一部を内側に屈曲して斜面ガイド部１１ａを形成し、この斜面ガイド部１１ａに連続して内側に延びる平面シャッター部１１ｂを形成し、この平面シャッター部１１ｂの先端を内側に屈曲して取出ガイド部１１ｃを形成している。このマガジン本体１１の外側一部１１ｄから斜面ガイド部１１ａ、平面シャッター部１１ｂ、取出ガイド部１１ｃに渡り、遮光材１６が設けられ、この遮光材１６は例えばビロードで構成される。
【００４３】
また、マガジン蓋体１２の一部にシャッタ部材１２ａを設け、このシャッタ部材１２ａは内側に屈曲して斜面ガイド部１２ａ１を形成し、この斜面ガイド部１２ａ１に連続して内側に延びる平面シャッター部１２ａ２を形成し、この平面シャッター部１２ａ２の先端を屈曲して取出ガイド部１２ａ３を形成している。このシャッタ部材１２ａは、斜面ガイド部１２ａ１から平面シャッター部１２ａ２、取出ガイド部１２ａ３に渡り、遮光材１７が設けられ、この遮光材１７は例えばビロードで構成される。
【００４４】
このシャッタ部材１２ａは、バネ部材１２ｂにより付勢され、遮光材１７が遮光材１６に所定の圧力で圧接し、記録材料供給口１８としている。
【００４５】
この記録材料装填用マガジン１０のマガジン本体１１とマガジン蓋体１２の内部に収納された記録材料は、記録材料供給口１８から送り出され、遮光材１６と遮光材１７によって遮光されている。
【００４６】
このように、斜面ガイド部１１ａから平面シャッター部１１ｂに遮光材１６を設けている。この遮光材１６の斜面ガイド部１１ａに相当する部分から平面シャッター部１１ｂに相当する部分の一部には、遮光材１６に重ねて滑面部材１９を設けている。
【００４７】
この記録材料装填用マガジン１０の記録材料供給口１８を遮光する遮光材１６と、巻き戻す記録材料Ｐを記録材料供給口１８に導く滑面部材１９とを有することで、巻き戻す記録材料Ｐの終端部Ｐｂは、図５に示すように、滑面部材１９に案内されて記録材料供給口１８に戻るため、遮光を損なうことなく戻る際の引っかかりを防ぐことができる。
【００４８】
滑面部材１９を重ねた斜面ガイド部１１ａに相当する部分から平面シャッター部１１ｂに相当する部分の一部のオーバーラップ量Ｄは、０．５ｍｍ以上であり、記録材料Ｐが戻る際の終端部Ｐｂの引っかかりを防ぐことができる。
【００４９】
この滑面部材１９は、超高分子量ポリエチレンＮｏ．４４０等を用いることができ、例えば超高分子量ポリエチレン粘着テープＮｏ．４４３／４４３０により遮光材１５に接着して設けられる。この超高分子量ポリエチレン粘着テープ  Ｎｏ．４４３／４４３０は、超高分子量ポリエチレンフィルム（Ｎｏ．４４０）を基材とした、剥離紙付きの感圧性粘着テープであり、他の樹脂フィルムを使用した粘着テープに比べて特に耐衝撃強度が大きく、耐摩耗性や自己潤滑性に優れている。超高分子量ポリエチレン粘着テープＮｏ．４４３の表面抵抗は、１０１６〜１０６Ωであり、超高分子量ポリエチレン粘着テープＮｏ．４４３０の表面抵抗は、１０１６〜１０６Ωであり、試験方法はＪＩＳ  Ｋ  ６９１１によった。
【００５０】
この実施の形態では、滑面部材１９をマガジン本体１１側の遮光材１６に設けているが、マガジン蓋体１２側の遮光材１７に滑面部材を同様に設けてもよい。また、マガジン本体１１側とマガジン蓋体１２側の遮光材１６，１７に滑面部材を同様に設けてもよい。
【００５１】
【発明の効果】
以上詳細に説明したように、請求項１に記載の発明では、記録材料の終端部を検出すると、記録材料を記録材料装填用マガジンの内部に巻き戻すことで、短い長さの残りの記録材料を搬送するための搬送ローラー等を最小限に配置することにより、装置構成の簡素化、コストの削減が図れる。また、短い長さの残りの記録材料の除去作業を記録材料の交換作業と同時に行えることにより、操作性の向上が図れる。
【００５２】
請求項２に記載の発明では、記録材料装填用マガジンの記録材料供給口を遮光する遮光材と、巻き戻す記録材料を記録材料供給口に導く滑面部材とを有することで、巻き戻す記録材料の終端部が滑面部材に案内されて記録材料供給口に戻るため、戻る際の引っかかりを防ぐことができる。
【００５３】
請求項３に記載の発明では、平面部に遮光材を設け、斜面部に滑面部材を設けたことで、巻き戻す記録材料の終端部が滑面部材に案内されて記録材料供給口に戻るため、戻る際の引っかかりを防ぐことができる。
【００５４】
請求項４に記載の発明では、斜面ガイド部に相当する部分から平面シャッター部に相当する部分の一部に遮光材に重ねて滑面部材を設けることで、巻き戻す記録材料の終端部が滑面部材に案内されて記録材料供給口に戻るため、遮光を損なうことなく戻る際の引っかかりを防ぐことができる。
【００５５】
請求項５に記載の発明では、滑面部材を重ねた斜面ガイド部に相当する部分から平面シャッター部に相当する部分の一部のオーバーラップ量は、０．５ｍｍ以上であり、記録材料が戻る際の終端部の引っかかりを防ぐことができる。
【図面の簡単な説明】
【図１】カラープルーフ作成装置の概略構成図である。
【図２】露光装置の概略構成を示す正面図である。
【図３】露光装置の概略構成を示す平面図である。
【図４】記録材料装填用マガジンの断面図である。
【図５】記録材料装填用マガジンの記録材料供給部の拡大断面図である。
【符号の説明】
１  カラープルーフ作成装置
２  装置本体
３  露光ユニット
４  現像処理ユニット
１０  記録材料装填用マガジン
３１  ドラム
２００  空気吸引手段
３００  書込手段
７００  移動手段
Ａ  記録材料供給手段
Ｂ  記録材料終端部検出手段
Ｃ  制御手段
Ｐ  記録材料
【図１】
2004161467.tif 000003
【図２】
2004161467.tif 000004
【図３】
2004161467.tif 000005
【図４】
2004161467.tif 000006
【図５】
2004161467.tif 000007